(57)【要約】      （修正有）【課題】収納箱の内面にハニカムシートを貼り付けてなる収納箱について、収納された物品を上下方向、前後方向および左右方向のいずれの方向にもずれ動きにくくし、かつ不使用時に簡単にコンパクトに折り畳めるようにする。【解決手段】ハニカムシートで形成された緩衝部２０として、横罫線１０ｄに軸線が一致し、頂点同士が対向する左右一対の内向きハニカム部分円錐体２１を各板１１〜１５内に設ける。同様に、各板の境界にある横罫線１０ａに軸線が一致し、底同士が対向する左右一対の外向きハニカム部分円錐体２２を隣接する各板にまたがって設ける。組み立てられた収納箱本体１０の内部で、物品は上下、前後、左右のいずれからも挟み込まれる。交差罫線１０ｃ、横罫線１０ｄおよび横罫線１０ａを折り曲げることで、収納箱本体１０は蛇腹状に折り畳むことができ、ハニカム部分円錐体２１、２２はその蛇腹の間に収容される。【選択図】図４
2015129007.tif 000002
【特許請求の範囲】
【請求項１】
収納箱本体１０と、
前記収納箱本体に貼り付けられた緩衝部２０と、からなり、
前記収納箱本体１０はブランクの状態で、
上下方向に並列する平行な複数の組み立て用横罫線１０ａおよび左右方向に並列する平行な一対の組み立て用縦罫線１０ｂにより、
前記一対の組み立て用縦罫線間の領域が、前板１１、１５、上板１２、１６、後板１３および下板１４へと区画され、
左方の前記組み立て用縦罫線１０ｂよりも左方の領域が、前記前板１１、１５、上板１２、１６、後板１３および下板１４のいずれかに連設される左板１０ａへと少なくとも区画され、
右方の前記組み立て用縦罫線よりも右方の領域が、前記前板１１、１５、上板１２、１６、後板１３および下板１４のいずれかに連設される右板１０ｂへと少なくとも区画されており、
前記各組み立て用横罫線１０ａを同一方向に約９０度折り曲げることで、前記前板１１、１５が前面、前記上板１２、１６が上面、前記後板１３が後面および前記下板１４が下面となり、前記各組み立て用縦罫線１０ｂを同一方向に約９０度折り曲げることで、前記左板１０ａが左面および前記右板１０ｂが右面となって、物品を収納可能な直方体形へと組み立て可能であり、
前記前板１１、１５、上板１２、１６、後板１３よび下板１４は、その対角線に沿って形成された折り畳み用交差罫線１０ｃをそれぞれ有し、かつその左辺と右辺の中点を結ぶ折り畳み用横罫線１０ｄをそれぞれ有し、
前記左板１０ａおよび右板１０ｂは、それが連設された前記前板、上板、後板または下板１４の前記折り畳み用横罫線１０ｄが左辺と右辺の中点を結ぶように延長されており、
前記各折り畳み用交差罫線１０ｃを同一方向に約１８０度、前記各折り畳み用横罫線１０ｄを前記折り畳み用交差罫線１０ｃとは逆方向に約１８０度、前記各組み立て用横罫線１０ａを前記折り畳み用交差罫線１０ｃとは逆方向に約１８０度折り曲げることで蛇腹状へと折り畳み可能であり、
前記緩衝部２０は、それぞれ複数の内向きハニカム部分円錐体２１と外向きハニカム部分円錐体２２とからなり、
これら各内向きハニカム部分円錐体２１および外向きハニカム部分円錐体２２は、三角形のシートを複数重ね合わせ、隣接するシート同士を所定の規則的なパターンからなる接着箇所により断続的に貼り合せた積層体であって、その最外層の一方のシートを三角形の三辺のうちの一辺を中心軸として最外層の他方のシートに対して回転させると、円錐をその軸線に沿った面で分割した部分円錐の形状へと展開される積層体から形成されており、
前記各内向きハニカム部分円錐体２１は、前記積層体が円錐を軸線に沿った面で等分してなる半円錐の状態で、前記収納箱本体１０のブランクの前板１１、上板１２、後板１３および下板１４に対して、その半円錐の軸線が前記各板１１〜１４上の折り畳み用横罫線１０ｄに一致するように、かつ左側の内向きハニカム部分円錐体２１の頂点と右側の内向きハニカム部分円錐体２１の頂点とが対向するように、それぞれ左右一対に貼り付けられており、
前記各外向きハニカム部分円錐体２２は、前記積層体が円錐を軸線に沿った面で等分してなる半円錐の状態で、前記収納箱本体１０のブランクの前板１１と上板１２にまたがって、上板１２と後板１３にまたがって、後板１３と下板１４にまたがって、および下板１４と前板１５にまたがって、その半円錐の軸線が各組み立て用横罫線１０ａに一致するように、かつ左側の外向きハニカム部分円錐体２２の底と右側の外向きハニカム部分円錐体２２の底とが対向するように、それぞれ左右一対に貼り付けられている、収納箱。
【発明の詳細な説明】
【技術分野】
【０００１】
本発明は、収納箱に関する。
より詳しくは、本発明は、収納された物品がずれ動きにくく、かつ折り畳みの容易な収納箱に関する。
【背景技術】
【０００２】
収納箱に物品を収納して運搬する際には、物品の破損を防止するために発泡スチロールなどからなる緩衝材を同封することがよくおこなわれている。
これら発泡スチロールなどからなる緩衝材は、運搬後に不要となった際に折り畳む等してコンパクトにするのが困難であるため、保管するとなると嵩張る。
また、発泡スチロールなどは石油製品であるため、焼却処分するとなると有毒ガスが発生するなどして環境に悪影響を及ぼすおそれがある。
【０００３】
そのため、特許文献１の収納箱のように、ハニカムシートと通称されている積層体を緩衝材として利用する試みもなされている。
ここでハニカムシートとは、複数のシートを重ね合わせ、隣接するシート同士を所定の規則的なパターンから構成される接着箇所により断続的に貼り合せた積層体であって、その最外層の両シートが離れる向きに引っぱることで展開可能なものであり、その展開に伴って現れた面がおおむねはちの巣模様を呈するものをいう。
この特許文献１の収納箱では、上下一対のハニカムシートを準備し、その上側のハニカムシートを収納箱本体の蓋部内面に、その下側のハニカムシートを収納箱本体の底部内面に、それぞれ展開された状態で貼り付けることで構成されている。
【０００４】
そして、そのハニカムシートが展開されて嵩高になった状態で発揮される緩衝性を利用し、収納箱本体に収納された物品を、上下一対のハニカムシート間に挟み込むような態様で保持するものである。
このように緩衝材としてハニカムシートを用いた場合、収納箱本体から分離するなどした後、最外層のシート同士が離反した展開状態から、最外層のシート同士が接近した折り畳み状態へと変形することで、嵩張らないようにすることができる。
またハニカムシートは一般に紙製であるため、焼却処分しても有毒ガスが発生等することがなく、環境への負荷が小さい。
【先行技術文献】
【特許文献】
【０００５】
【特許文献１】特開平６−２８６７４６号公報
【発明の概要】
【発明が解決しようとする課題】
【０００６】
しかし特許文献１の収納箱では、収納された物品が緩衝部としての一対のハニカムシートで上下から挟み込まれているに過ぎないため、その物品は収納箱の上下方向には拘束されているものの、左右方向および前後方向には拘束されていない。
したがって、物品が前後方向および左右方向へとずれ動きやすく、それに伴う物品の破損が懸念される。
【０００７】
また特許文献１の収納箱では、収納箱本体とハニカムシートを一体的に折り畳むことに関して特別な工夫がなされておらず、収納箱本体とハニカムシートの折り畳み可能な範囲が、その構造上、相互に大きく制約されている。
したがって、収納箱本体とハニカムシートを分離しないと、両者を折り畳むことができず手間がかかるか、あるいは収納箱本体にハニカムシートを貼り付けたまま両者を折り畳めるとしても、コンパクトには折り畳むことができない問題がある。
【０００８】
そこで本発明の解決すべき課題は、収納箱の内面に緩衝材として利用されるハニカムシートを貼り付けてなる収納箱について、収納された物品を上下方向、前後方向および左右方向のいずれの方向にもずれ動きにくくすることである。
【０００９】
また本発明の解決すべき課題は、収納箱の内面に緩衝材として利用されるハニカムシートを貼り付けてなる収納箱について、不使用時に簡単にかつコンパクトに折り畳めるようにすることである。
【課題を解決するための手段】
【００１０】
上記した課題を解決するため、本発明の収納箱では、収納箱本体と緩衝部とを以下のように構成したのである。
まず収納箱本体はブランクの状態で、上下方向に並列する平行な複数の組み立て用横罫線および左右方向に並列する平行な一対の組み立て用縦罫線により、前記一対の組み立て用縦罫線間の領域が、前板、上板、後板および下板へと区画されている。
また収納箱本体はブランクの状態で、左方の前記組み立て用縦罫線よりも左方の領域が、前記前板、上板、後板および下板のいずれかに連設される左板へと少なくとも区画され、右方の前記組み立て用縦罫線よりも右方の領域が、前記前板、上板、後板および下板のいずれかに連設される右板へと少なくとも区画されている。
収納箱本体は、前記各組み立て用横罫線を同一方向に約９０度折り曲げることで、前記前板が前面、前記上板が上面、前記後板が後面および前記下板が下面となり、前記各組み立て用縦罫線を同一方向に約９０度折り曲げることで、前記左板が左面および前記右板が右面となって、物品を収納可能な直方体形へと組み立て可能である。
さらに収納箱本体は、前記前板、上板、後板および下板に、その対角線に沿って形成された折り畳み用交差罫線をそれぞれ有し、かつその左辺と右辺の中点を結ぶ折り畳み用横罫線をそれぞれ有する。前記左板および右板には、それが連設された前記前板、上板、後板または下板の前記折り畳み用横罫線が左辺と右辺の中点を結ぶように延長されている。
収納箱本体は、前記各折り畳み用交差罫線を同一方向に約１８０度、前記各折り畳み用横罫線を前記折り畳み用交差罫線とは逆方向に約１８０度、前記各組み立て用横罫線を前記折り畳み用交差罫線とは逆方向に約１８０度折り曲げることで蛇腹状へと折り畳み可能である。
一方、前記緩衝部は、それぞれ複数の内向きハニカム部分円錐体と外向きハニカム部分円錐体とからなる。
これら各内向きおよび外向きハニカム部分円錐体は、三角形のシートを複数重ね合わせ、隣接するシート同士を所定の規則的なパターンからなる接着箇所により断続的に貼り合せた積層体から形成されている。この積層体は、その最外層の一方のシートを三角形の三辺のうちの一辺を中心軸として最外層の他方のシートに対して回転させると、円錐をその軸線に沿った面で分割した部分円錐の形状へと展開されるようになっている。
各内向きハニカム部分円錐体は、前記積層体が円錐を軸線に沿って等分してなる半円錐の状態で、前記収納箱本体のブランクの前板、上板、後板および下板のそれぞれに対して、その半円錐の軸線が各板上の折り畳み用横罫線に一致するように、かつ左側の内向きハニカム部分円錐体の頂点と右側の内向きハニカム部分円錐体の頂点とが対向するように、左右一対に貼り付けられている。
また各外向きハニカム部分円錐体は、前記積層体が円錐を軸線に沿って等分してなる半円錐の状態で、前記収納箱本体のブランクの前板と上板にまたがって、上板と後板にまたがって、後板と下板にまたがって、および下板と前板にまたがって、その半円錐の軸線が各組み立て用横罫線に一致するように、かつ左側の外向きハニカム部分円錐体の底と右側の外向きハニカム部分円錐体の底とが対向するように、左右一対に貼り付けられている。
【発明の効果】
【００１１】
組み立てられた収納箱本体に収納された物品は、上板および下板に貼り付けられて半円錐形に展開する内向きハニカム部分円錐体により上下から挟み込まれる。
同様に、前板および後板に貼り付けられた半円錐形に展開する内向きハニカム部分円錐体により、前後から挟み込まれる。
前板と上板にまたがって、上板と後板にまたがって、後板と下板にまたがって、および下板と前板にまたがって、それぞれ貼り付けられた外向きハニカム部分円錐体は、収納箱本体の組み立て状態において組み立て用横罫線の約９０度の折り曲げに伴って、積層体の最外層の両シートが接近する向きに回転して１／４円錐形へと変形するとともに、内向きハニカム部分円錐体と対向する。内向きハニカム部分円錐体と外向きハニカム部分円錐体とは、収納箱本体の左右方向に対して逆向きに傾斜しているため、収納された物品は、対向する内向きハニカム部分円錐体と外向きハニカム部分円錐体により、左右からも挟み込まれる。
したがって、収納箱に収納された物品が、上下方向、前後方向および左右方向のいずれの方向にもずれ動くことが防がれる。
【００１２】
収納箱本体のブランクにおける折り畳み用交差罫線と折り畳み用横罫線および組み立て用横罫線との位置関係から、折り畳み用交差罫線を折り曲げると、これに連動して折り畳み用横罫線および組み立て用横罫線は折り畳み用交差罫線とは逆方向に折れ曲がり、収納箱本体は自動的に蛇腹状へと折り畳まれる。
さらにこれと連動して、内向きハニカム部分円錐体は、折り畳み用横罫線の約１８０度の折り曲げに伴って、積層体の最外層の両シートがその他のシートを間に挟んでほぼ重なり合うまで回転することで扁平に折り畳まれ、かつ折り畳まれた収納箱本体の蛇腹の間に収容される。
同様に、外向きハニカム部分円錐体は、組み立て用横罫線の約１８０度の折り曲げに伴って、積層体の最外層の両シートがその他のシートを間に挟んでほぼ重なり合うまで回転することで扁平に折り畳まれ、かつ折り畳まれた収納箱本体の蛇腹の間に収容される。
したがって、収納箱は不使用時に簡単にかつコンパクトに折り畳むことができる。
【図面の簡単な説明】
【００１３】
【図１】収納箱の組み立て状態を示す斜視図
【図２】図１の縦断面図
【図３】図２のＡ−Ａ線断面図
【図４】収納箱を展開した状態を示す斜視図
【図５】収納箱本体を展開した状態を示す平面図
【図６】収納箱の組み立て途中を示す斜視図
【図７】収納箱の組み立て途中を示す斜視図
【図８】収納箱の組み立て途中を示す斜視図
【図９】収納箱の折り畳み状態を示す斜視図
【図１０】図９のＢ−Ｂ線断面図
【図１１】収納箱本体の折り畳み途中を示す斜視図
【発明を実施するための形態】
【００１４】
以下、図面を参照しつつ本発明の実施形態について説明する。
図１から図１１に示す、実施形態の収納箱は、収納箱本体１０と、緩衝部２０とからなる。
【００１５】
収納箱本体１０は、段ボール、厚紙、プラスチックシートなどから形成された図５に示すブランクを折り曲げることで、使用時には図１のように、上下面、前後面および左右面からなる直方体状に組み立てられ、不使用時には図１０のように蛇腹状に折り畳まれる。
【００１６】
緩衝部２０は、後述するようなハニカムシートにより構成されて、図４のように、収納箱本体１０のブランクの片面に貼り付けられる。そして、収納箱本体１０が組み立てられた状態では、図２および図３のように、その収納箱本体１０の内部の収納空間内において展開され、収納箱本体１０に収納された物品の緩衝材として機能する。
また緩衝部２０は、収納箱本体１０が蛇腹状に折り畳まれた状態では、図１０のように折り畳まれて蛇腹の間に収容される。
【００１７】
図５に示す収納箱本体１０のブランクは、同図において一点鎖線で示された上下方向に等間隔で並列する平行な５本の組み立て用横罫線１０ａと、同図において実線で示された左右方向に並列する平行な２本の組み立て用縦罫線１０ｂとにより、複数の領域に区画されている。
緩衝部２０は、収納箱本体１０のブランクの両面のうち、図５に現わされる側の面に対して、貼り付けられている。
【００１８】
これらブランク内に区画された複数の領域のうち、図５の左右一対の組み立て用縦罫線１０ｂの間の領域は、収納箱本体１０を組み立てた際に上面、後面、下面および前面を構成する。
その領域は、上から順に、内前板１１、内上板１２、後板１３、下板１４、外前板１５および外上板１６となる。
ここで収納箱本体１０の組み立て状態においてその前面は、内前板１１と外前板１５とからなる内外二層の前板で構成され、その上面は、内上板１２と外上板１６とからなる内外二層の上板で構成され、その後面および下面は、それぞれ単層の後板１３および下板１４で構成される。
同図のように、内前板１１、内上板１２、後板１３、下板１４および外前板１５の形状は、ほぼ同形の長方形であってその長辺同士が接している。
【００１９】
このうち内前板は、前記した長方形の左上の頂点と両対角線の交点を結ぶ線と、その長方形の右上の頂点と両対角線の交点を結ぶ線をそれぞれ等辺とする、二等辺三角形の形状の切り欠き部１１ａを有する。
また内上板１２は、左下の頂点と右上の頂点とを結ぶ対角線に沿ってその対角線の左右のほぼ中間地点に形成されたスリット１２ａを有する。
一方、外上板１６の形状は、上記内前板１１等と同形の長方形を、その長方形の左下の頂点と右上の頂点とを結ぶ対角線により上下に等分し、その上側となる直角三角形であり、その斜辺上の左右のほぼ中間地点において、下方へと突出する差し込み片１６ａを有する。
【００２０】
またこれら複数の領域のうち、図５の左側の組み立て用縦罫線１０ｂよりも左方の領域および右側の組み立て用縦罫線１０ｂよりも右方の領域は、収納箱本体１０を組み立てた際にそれぞれ左面および右面を構成する。
これらの領域は、上から順に、それぞれ左右一対をなす内折り込み板１７、中折り込み板１８、外折り込み板１９、ならびに左板１４ａおよび右板１４ｂとなる。
【００２１】
図５からわかるように、内折り込み板１７は内前板１１の左右に、中折り込み板１８は内上板１２の左右に、外折り込み板１９は後板１３の左右に、左板１４ａは下板１４の左側に、右板１４ｂは下板１４の右側に、それぞれ位置している。
また同図のように、内折り込み板１７、中折り込み板１８、外折り込み板１９、左板１４ａおよび右板１４ｂの形状は、ほぼ同形の正方形であり、その各辺の長さは、長方形の形状の内上板１２等の短辺の長さとおおむね一致している。
【００２２】
内折り込み板１７、中折り込み板１８、および外折り込み板１９は、図５において破線で示された組み立て用斜め罫線１７ａ、１８ａ、１９ａをそれぞれ有する。
図５のように、各組み立て用斜め罫線１７ａ、１８ａ、１９は、左側の各板においては、その左上の頂点とその右下の頂点を結ぶ対角線に沿って形成され、右側の各板においては、その右上の頂点とその左下の頂点を結ぶ対角線に沿って形成されている。
すなわち、左側の各板に形成された組み立て用斜め罫線１７ａ、１８ａ、１９は互いに平行であり、右側の各板に形成された組み立て用斜め罫線１７ａ、１８ａ、１９も互いに平行となっている。
【００２３】
また左側の中折り込み板１８は、その右上の頂点から組み立て用縦罫線１０ｂに沿って、右上の頂点と右下の頂点のほぼ中間地点にかけて延びるスリット１８ｂを有する。同様に、右側の中折り込み板１８は、その左上の頂点から組み立て用縦罫線に沿って、左上の頂点と左下の頂点のほぼ中間地点にかけて延びるスリット１８ｂを有する。
左板１４ａは、その左辺上の下半部に左方へと突出する差し込み片１４ｃを有し、右板１４ｂは、その右辺上の下半部に右方へと突出する差し込み片１４ｃを有する。
【００２４】
左側の内折り込み板１７の左上の角隅部および右側の内折り込み板１７の右上の角隅部は、収納箱本体１０の組み立て時に、内折り込み板１７の角隅部がブランクの他の板に干渉するのを防止するために、ひし形状に微小に切り欠かれている。
また、左側の中折り込み板１８の左下の頂点から組み立て用横罫線１０ａに沿って、左下の頂点と右下の頂点のほぼ中間地点にかけて、細長形状に微小に切り欠かれている。
同様に、右側の中折り込み板１８の右下の頂点から組み立て用横罫線１０ａに沿って、右下の頂点と左下の頂点のほぼ中間地点にかけて、細長形状に微小に切り欠かれている。
さらに左側の外折り込み板１９の左上の頂点から組み立て用横罫線１０ａに沿って、右上の頂点と左上の頂点のほぼ中間地点にかけて、細長形状に微小に切り欠かれている。
同様に、右側の外折り込み板１９の右上の頂点から組み立て用横罫線１０ａにそって右上の頂点と左上の頂点のほぼ中間地点にかけて、細長形状に微小に切り欠かれている。
これら細長形状の切り欠きは、収納箱本体１０の組み立て時に、後述するように中折り込み板１８のスリット１８ｂに対して差し込まれる左板１４ａおよび右板１４ｂの差し込み片１４ｃが、中折り込み板１８や外折り込み板１９と干渉するのを防止するために設けられている。
【００２５】
図５のように、収納箱本体１０のブランクにはさらに、同図において破線で示された上下方向に等間隔で並列する５列の折り畳み用交差罫線１０ｃ、および同図において二点鎖線で示された上下方向に等間隔で平行に並列する５本の折り畳み用横罫線１０ｄが形成されている。
このうち各折り畳み用交差罫線１０ｃは、内前板１１、内上板１２、後板１３、下板１４および外前板１５の各内部において、両対角線に沿って交差した状態に形成されている。
また、最も上側の折り畳み用横罫線１０ｄは、左側の内折り込み板１７の左辺の中点と右側の内折り込み板１７の右辺の中点を結ぶ線に沿って形成されている。
同様に、その他の折り畳み用横罫線１０ｄは、左側の中折り込み板１８の左辺の中点と右側の中折り込み板１８の右辺の中点を結ぶ線、左側の外折り込み板１９の左辺の中点と右側の外折り込み板１９の右辺の中点を結ぶ線、および外前板１５の左辺の中点と右辺の中点を結ぶ線、にそれぞれ沿って形成されている。
この折り畳み用横罫線１０ｄと組み立て用横罫線１０ａとを合わせると、収納箱本体１０のブランクの上下方向には、等間隔で並列する平行な１０本の罫線が形成されていることになる。
【００２６】
図４のように、緩衝部２０は、収納箱本体１０のブランクの片面に貼り付けられた複数のハニカム部分円錐体２１、２２からなる。
各ハニカム部分円錐体２１、２２は、薄紙または薄手のプラスチックシートからなる直角三角形の形状のシートを複数層に重ね合わせ、隣接するシート同士を所定の規則的なパターンからなる接着箇所でもって断続的に貼り合わせた、ハニカムシートと通称される積層体から構成されている。
その直角三角形のシートの形状は、収納箱本体１０のブランクにおいて、組み立て用横罫線１０ａまたは折り畳み用横罫線１０ｄと、組み立て用縦罫線１０ｂおよび折り畳み用交差罫線１０ｃとで囲まれる直角三角形の領域の形状とほぼ相似形である。またその直角三角形のシートの大きさは、このようなブランクに形成される直角三角形の領域の大きさよりも若干小さくなっている。
【００２７】
各ハニカム部分円錐体２１、２２をなす積層体は、一対の最外層のシートの一方を、その直角三角形の斜辺を除いた二辺のうち長いほうの辺を中心軸として、他方の最外層のシートに対して任意の角度だけ回転させると、円錐をその軸線に沿った面で分割した部分円錐の形状へと展開される。またその展開により現れた外面が、上記したシート同士の接着箇所のパターンを反映したおおむね蜂の巣模様を呈する。
すなわち、その積層体の最外層の両シートが、その他のシートを間に挟んで向い合わせに重なり合う状態（両シートのなす角度が０度）から、その最外層の両シートがその他のシートを間に挟まずに背中合わせに重なり合う状態（両シートのなす角度が３６０度）へと回転させると、円錐の全体形状へと展開される。
また、その積層体の最外層の両シートが、平行でありかつ重なり合わない状態（両シートのなす角度が１８０度）に回転させると、上記円錐をその軸線に沿った面で半分に分割した半円錐形へと展開される。
【００２８】
各ハニカム部分円錐体２１、２２は、上記した構造を有する積層体を、図４のように、最外層の両シートのなす角度が１８０度の状態、すなわち半円錐形に展開された状態で、収納箱本体１０のブランクの片面にそれぞれ貼り付けることで構成されている。
【００２９】
各ハニカム部分円錐体２１、２２は、図５で示された収納箱本体１０のブランクに対して、図４のように、左右方向に対しては左右一対の半円錐が逆向きに配列されている。
またハニカム部分円錐体２１、２２は、上下方向に対しては右方向を向く半円錐と左方向を向く半円錐とが交互に配列されている。
このように各ハニカム部分円錐体２１、２２が、規則的なパターンに則って貼り付けられている。したがって、組み立てられた収納箱本体１０を開いてその内部の緩衝部２０を見た場合には、非常に美的に優れた印象を与える。
図４のように、ハニカム部分円錐体２１、２２は、内向きハニカム部分円錐体２１と外向きハニカム部分円錐体２２とからなる。
【００３０】
内向きハニカム部分円錐体２１では、左右一対の半円錐のうち、図４において左側の半円錐の頂点が右側を向き、右側の半円錐の頂点が左側を向いており、その結果、半円錐の頂点同士が対向している。
収納箱本体１０のブランクとの位置関係では、内向きハニカム部分円錐体２１では、各半円錐がブランクの左右方向に対して内側を向いていることになる。
【００３１】
図４および図５からわかるように、各内向きハニカム部分円錐体２１は、それぞれ内前板１１、内上板１２、後板１３および下板１４に対して貼り付けられ、ブランクの上下方向に四列に並列している。
その半円錐の頂点は、これら内前板１１、内上板１２、後板１３および下板１４の対角線の交点におおむね一致している。
また図４のように、その半円錐の底が、左側の内向きハニカム部分円錐体２１については、おおむね各板の左辺上に位置し、右側の内向きハニカム部分円錐体２１については、おおむね各板の右辺上に位置している。
さらに同図のように、その半円錐の母線が、おおむね各板の折り畳み用交差罫線１０ｃ上に位置している。
このことから、左側の内向きハニカム円錐体２１については、各板１１〜１４の左上および左下の頂点ならびに各板の対角線の交点を三つの頂点とする二等辺三角形の領域内に収まっている。同様に右側の内向きハニカム円錐体２１については、各板１１〜１４の右上および右下の頂点ならびに各板の対角線の交点を三つの頂点とする二等辺三角形の領域内に収まっている。
ここで各内向きハニカム部分円錐体２１は、その半円錐の軸線が収納箱本体１０の折り畳み用横罫線１０ｄと一致している。
図示のように、これら内向きハニカム部分円錐体２１の軸線方向下半部は、周縁が異形円筒形に切り欠かれて切り欠き部２１ａが形成されている。
これにより、内向きハニカム部分円錐体２１は、内向きの軸長の長い円錐と外向きの軸長の短い円錐とが、背中合わせになったような外観を呈している。
【００３２】
一方、外向きハニカム部分円錐体２２では、左右一対の半円錐のうち、同図において左側の半円錐の頂点が左側を向き、右側の半円錐の頂点が右側を向いており、その結果、半円錐の底同士が対向している。
収納箱本体１０のブランクとの位置関係では、外向きハニカム部分円錐体２２では、各半円錐がブランクの左右方向に対して外側を向いていることになる。
【００３３】
図４のように、外向きハニカム部分円錐体２２は、収納箱本体１０のブランクに対して、内向きハニカム部分円錐体２１とほぼ補完形状をなしている。
すなわち内前板１１、内上板１２、後板１３、下板１４および外前板１５について、内向きハニカム部分円錐体２１が貼り付けられていない箇所を埋めるようにして、外向きハニカム部分円錐体２２が貼り付けられている。
【００３４】
詳細には、最も上側の左右一対の外向きハニカム部分円錐体２２は、それぞれ内前板１１と内上板１２にまたがって貼り付けられている。
この外向きハニカム部分円錐体２２の頂点は、最も上側の組み立て用横罫線１０ａと組み立て用縦罫線１０ｂとの交点におおむね一致し、その底は、左右一対の組み立て用縦罫線１０ｂのおおむね中線上に位置している。
同様に、他の左右一対の外向きハニカム部分円錐体２２は、内上板１２と後板１３にまたがって、後板１３と下板１４にまたがって、下板１４と外前板１５にまたがって、それぞれ貼り付けられており、外向きハニカム部分円錐体２２は、ブランクの上下方向に四列に並列している。
各外向きハニカム部分円錐体２２の頂点は、各組み立て用横罫線１０ａと左右一対の組み立て用縦罫線１０ｂとの交点におおむね一致し、その底は、左右一対の組み立て用縦罫線１０ｂのおおむね中線上に位置している。
さらに、その半円錐の母線が、隣接する各板の折り畳み用交差罫線１０ｃ上におおむね位置している。
このことから、左側の外向きハニカム円錐体２２については、上下に隣接する各板１１〜１５の上側の板の対角線の交点および下側の板の対角線の交点ならびに上側の板の左下の頂点（下側の板の左上の頂点）を三つの頂点とする二等辺三角形の領域内に収まっている。同様に、右側の外向きハニカム円錐体２１については、上下に隣接する各板１１〜１５の上側の板の対角線の交点および下側の板の対角線の交点ならびに上側の板の右下の頂点（下側の板の右上の頂点）を三つの頂点とする二等辺三角形の領域内に収まっている。
外向きハニカム部分円錐体２２は、その半円錐の軸線が組み立て用横罫線１０ａと一致している。
【００３５】
実施形態の収納箱の構成は以上のようであり、その収納箱本体１０はブランクの状態から、図６〜図８に示されるように、収納箱本体１０の組み立て用横罫線１０ａ、組み立て用縦罫線１０ｂ、組み立て用斜め罫線１７ａ、１８ａ、１９ａをそれぞれ所定角度折り曲げることにより組み立てられる。
【００３６】
収納箱本体１０の上下面および前後面の形成は、収納箱本体１０の各組み立て用横罫線１０ａを、図５においてそれぞれ谷折りに約９０度折り曲げることでおこなわれる。
【００３７】
まず図４の展開された状態から図６のように、収納箱本体１０のブランクを内前板１１と内上板１２との境界にある組み立て用横罫線１０ａにより約９０度折り曲げる。
ついで図６の状態から図７（ａ）のように、内上板１２と後板１３との境界にある組み立て用横罫線１０ａを約９０度折り曲げる。
さらに図７（ａ）の状態から図７（ｂ）のように、後板１３と下板１４との境界にある組み立て用横罫線１０ａを約９０度折り曲げる。このとき、図７（ｂ）のように、内前板１１に切り欠き部１１ａが設けられていることから、下板１４と外前板１５をまたいで貼り付けられた外向きハニカム部分円錐体２２との干渉が防止されている。
さらにこの図７（ｂ）の状態から、下板１４と外前板１５の境界にある組み立て用横罫線１０ａを約９０度折り曲げて、内前板１１が内側に外前板１５が外側になるように両者を重ね合わせる。
最後に図８（ａ）のように、外前板１５と外上板１６の境界にある組み立て用横罫線を約９０度折り曲げて、内上板１２が内側に外上板１６が外側になるように両者を重ね合わせる。
こうして、内前板１１、内上板１２、後板１３、下板１４、外前板１５、外上板１６から上下面および前後面を有する四角筒を組み立て、さらに内上板１２のスリット１２ａに外上板１６の差し込み片１６ａを差し込んで、四角筒を固定する。
【００３８】
収納箱本体１０の左右面の形成は、収納箱本体１０の各組み立て用縦罫線１０ｂおよび各組み立て用斜め罫線１７ａ、１８ａ、１９ａを、前者については図５においてそれぞれ谷折りに約９０度、後者については図５においてそれぞれ山折りに約１８０度、折り曲げることでおこなわれる。
【００３９】
まず図４の展開された状態から図６のように、左右一対の内折り込み板１７の組み立て用斜め罫線１７ａをそれぞれ山折りに折り曲げる。
すると、内折り込み板１７と内前板１１の境界にある組み立て用縦罫線１０ｂも、これに連動して自動的に折れ曲がる。
ついで図６の状態から図７（ｂ）のように、左右一対の中折り込み板１８の組み立て用斜め罫線１８ａをそれぞれ山折りに折り曲げる。
すると、中折り込み板１８と内上板１２の境界にある組み立て用縦罫線１０ｂも連動して自動的に折れ曲がる。
さらに図７（ｂ）の状態から図８（ｂ）のように、左右一対の外折り込み板１９の組み立て用斜め罫線１９ａをそれぞれ山折りに折り曲げる。
すると、外折り込み板１９と後板１３との境界にある組み立て用縦罫線１０ｂも、これに連動して自動的に折れ曲がり、さらに左板１４ａ、右板１４ｂと下板１４との境界にある組み立て用縦罫線１０ｂも、これに連動して自動的に折れ曲がる。
【００４０】
こうして図８（ｂ）のように、内折り込み板１７、中折り込み板１８および外折り込み板１９を、それぞれ二つ折りの状態、すなわち各組み立て用斜め罫線１７ａ、１８ａ、１９ａが山折りに約１８０度折り曲げられた状態へと近づけていく。
すると同図のように、内折り込み板１７、中折り込み板１８、外折り込み板１９および左板１４ａ、右板１４ｂは倒伏した状態、すなわち組み立て用縦罫線１０ｂが谷折りに約９０度折り曲げられた状態へと自動的に近づいてゆく。
したがって、内折り込み板１７、中折り込み板１８、外折り込み板１９は二つ折りされた状態で内側からこの順に重なり合い、さらにその上に左板１４ａ、右板１４ｂが重ね合わされて、収納箱本体１０の左右面が形成される。
さらに、収納箱本体１０の左面においては中折り込み板１８のスリット１８ｂに左板１４ａの差し込み片１４ｃを差し込み、右面においては中折り込み板１８のスリット１８ｂに右板１４ｂの差し込み片１４ｃを差し込んで、左右面を固定する。
こうして、図１のような収納箱本体１０の組み立てが完了する。
【００４１】
このような収納箱本体１０の組み立て時に、その収納空間内に位置することになる緩衝部２０の挙動については、以下のとおりとなる。
【００４２】
まず内向きハニカム部分円錐体２１については、上記のとおり、半円錐の軸線が収納箱本体１０の折り畳み用横罫線１０ｄと一致しているものの、その他の罫線とは交差等していない。したがって、組み立て用横罫線１０ａを谷折りに約９０度折り曲げても、折り畳まれることはなく、図３のように、半円錐形の状態が維持される。
ここで切り欠き部２１ａの存在によって、組み立て用横罫線１０ａの折り曲げに伴い相互に接近する隣接する内向きハニカム部分円錐体２１同士の干渉が防止される。
【００４３】
一方、外向きハニカム部分円錐体２２は、上記のとおり、半円錐の軸線が収納箱本体１０の組み立て用横罫線１０ａと一致している。
したがって、組み立て用横罫線１０ａを谷折りに約９０度折り曲げることで、図３のように、最外層の両シートのなす角度が９０度の状態、すなわち半円錐形から円錐を軸線に沿った面で四等分した１／４円錐形へと変形する。
【００４４】
組み立てられた収納箱本体１０の内部に物品が収納されると、緩衝部２０のうち内前板１１および後板１３に貼り付けられた半円錐形の内向きハニカム部分円錐体２１が、図３のように、当該物品を前後から挟み込む。
同様にして、下板１４および内上板１２に貼り付けられた半円錐形の内向きハニカム部分円錐体２１が、図３のように、当該物品を上下から挟み込む。
加えて、収納箱本体１０の左右方向について見れば、図４のように、半円錐形の内向きハニカム部分円錐体２１と１／４円錐形の外向きハニカム部分円錐体２２とが対向した状態で逆方向へと傾斜しているため、当該物品は左右からも挟み込まれることになる。
したがって実施形態の収納箱では、収納された物品が、上下方向、前後方向および左右方向のいずれに方向にもずれ動くことが防がれている。
【００４５】
なお、図２からもわかるように、収納箱本体１０の左右方向の左側においては、内向きハニカム部分円錐体２１は左方に上り勾配に傾斜し、外向きハニカム部分円錐体２２は左方に下り勾配に傾斜している。
これに対して、同図のように、収納箱本体１０の左右方向の右側においては、内向きハニカム部分円錐体２１は右方に上り勾配に傾斜し、外向きハニカム部分円錐体２２は右方方に下り勾配に傾斜している。
このように、収納箱本体１０の左側と右側とでハニカム部分円錐体２１、２２の傾斜方向が異なっており、左側と右側とがそれぞれ独立に物品を左右から挟み込む機能を発揮するようになっている。したがって、収納箱本体１０の左側と右側にそれぞれ別の物品を収納しておくのに適している。
【００４６】
一方、収納箱本体１０はブランクの状態から、収納箱本体１０の組み立て用横罫線１０ａを図５において谷折りに約１８０度、折り畳み用交差罫線１０ｃを図５において山折りに約１８０度、折り畳み用横罫線１０ｄを図５において谷折りに約１８０度折り曲げることにより折り畳まれる。
【００４７】
図１１のように、各折り畳み用交差罫線１０ｃをそれぞれ山折りに折り曲げると、折り畳み用に兼用される各組み立て用横罫線１０ａおよび各折り畳み用横罫線１０ｄがこれに連動してそれぞれ谷折りに自動的に折れ曲がる。
こうして、折り畳み用交差罫線１０ｃを山折りに約１８０度折り曲げると、組み立て用横罫線１０ａおよび折り畳み用横罫線１０ｄは谷折りに約１８０度折れ曲がり、図９および図１０のように、収納箱本体１０は蛇腹状に折り畳まれる。
【００４８】
このような収納箱本体１０の折り畳み時における緩衝部２０の挙動については、以下のとおりとなる。
【００４９】
まず図１１から明らかなように、各内向きハニカム部分円錐体２１は、その軸線と一致する折り畳み用横罫線１０ｄが谷折りに折れ曲がることで、最外層の両シートが、中間にその他のシートを挟んで接近する方向へと変形する。
そして、図９および図１０のように、折り畳み用横罫線１０ｄが約１８０度折れ曲がると、各内向きハニカム部分円錐体２１は、その最外層の両シートが向い合せに重ね合わされた状態（最外層の両シートのなす角度が約０度）となり、扁平に折り畳まれる。
【００５０】
同様に図１１から明らかなように、各外向きハニカム部分円錐体２２は、その軸線と一致する組み立て用横罫線１０ａが谷折りに折れ曲がることで、最外層の両シートが、中間にその他のシートを挟んで接近する方向へと変形する。
そして、図９および図１０のように、組み立て用横罫線１０ａが約１８０度折れ曲がると、各外向きハニカム部分円錐体２２は、その最外層の両シートが向い合せに重ね合わされた状態（最外層の両シートのなす角度が約０度）となり、扁平に折り畳まれる。
したがって、収納箱本体１０の蛇腹状への折り畳みに連動して、その収納箱本体１０の蛇腹の間に収容されるように、緩衝部２０は折り畳まれることになる。
【００５１】
今回開示された実施形態はすべての点で例示であって制限的なものではないと考慮されるべきである。本発明の範囲は特許請求の範囲によって示され、特許請求の範囲と均等の意味および範囲内でのすべての修正と変形を含むものであることが意図される。
【符号の説明】
【００５２】
１０  収納箱本体
１０ａ  組み立て用横罫線
１０ｂ  組み立て用縦罫線
１０ｃ  折り畳み用交差罫線
１０ｄ  折り畳み用横罫線
１１  内前板
１１ａ  切り欠き部
１２  内上板
１２ａ  スリット
１３  後板
１４  下板
１４ａ  左板
１４ｂ  右板
１４ｃ  差し込み片
１５  外前板
１６  外上板
１６ａ  差し込み片
１７  内折り込み板
１７ａ  組み立て用斜め罫線
１８  中折り込み板
１８ａ  組み立て用斜め罫線
１８ｂ  スリット
１９  外折り込み板
１９ａ  組み立て用斜め罫線
２０  緩衝部
２１  内向きハニカム部分円錐体
２１ａ  切り欠き部
２２  外向きハニカム部分円錐体
【図１】
2015129007.tif 000003
【図２】
2015129007.tif 000004
【図３】
2015129007.tif 000005
【図４】
2015129007.tif 000006
【図５】
2015129007.tif 000007
【図６】
2015129007.tif 000008
【図７】
2015129007.tif 000009
【図８】
2015129007.tif 000010
【図９】
2015129007.tif 000011
【図１０】
2015129007.tif 000012
【図１１】
2015129007.tif 000013